(57)【要約】【課題】  化粧枠を用いる場合と用いない場合とで反射板を共用とすることができる照明器具を提供する。【解決手段】  ランプのバルブが収納される収納凹部１１ａが下側に開口した有底筒状に形成された本体部１１と、本体部１１の下端から収納凹部１１ａの開口面にそって外側へ突設された枠部１２とを有する反射板１を供える。反射板１には、環状の化粧枠２が取り付けられる。化粧枠２は、化粧枠２にねじ止めされる環状の保持部材３との間に反射板１の枠部１２を挟むことによって、反射板１に保持される。したがって、化粧枠２に螺合するねじを挿通するための貫通穴を有する鍔部を反射板１に設ける必要がないので、化粧枠２を用いない場合にも見栄えが悪くならないから、化粧枠を用いる場合と用いない場合とで反射板１を共用とすることができる。【選択図】図１
2005327631.tif 000002
【特許請求の範囲】
【請求項１】
天井面に設けられた埋込穴に埋込配設される照明器具であって、
光源が取り付けられるソケットと、光源が収納され内面が光を反射する収納凹部を有し埋込穴に収納される本体部、並びに本体部の収納凹部の開口面に沿って本体部の外側へ突出し、埋込穴と本体部との間の隙間を閉塞する枠部を有する反射板と、光源を露出させる貫通穴を有し天井面との間で反射板の枠部を覆う環形状に形成された化粧枠と、化粧枠に取り付けられ化粧枠との間で枠部を挟むことにより化粧枠を反射板に保持する保持部材とを備えることを特徴とする照明器具。
【請求項２】
反射板が合成樹脂成形品からなることを特徴とする請求項１記載の照明器具。
【請求項３】
反射板の枠部と化粧枠とをそれぞれ円環形状としたことを特徴とする請求項１又は請求項２記載の照明器具。
【発明の詳細な説明】
【技術分野】
【０００１】
本発明は、天井面に埋込配設される照明器具に関するものである。
【背景技術】
【０００２】
従来から、天井面に設けられた埋込穴に埋込配設される照明器具が提供されている（例えば、特許文献１参照）。
【０００３】
この種の照明器具として、例えば図７に示すものがある。この照明器具は、天井面に設けられた埋込穴（図示せず）に収納されるハウジングＨと、光源としてのランプＬａのバルブが収納され内面が光を反射する収納凹部Ｒａを有しハウジングＨに収納され例えばねじ止めによってハウジングＨに保持される本体部Ｒ１並びに本体部Ｒ１の収納凹部Ｒａの開口縁から外側へ突設された鍔部Ｒ２を有する例えばアルミ板からなる反射板Ｒとを備える。また、見栄えを向上するために、ハウジングＨと埋込穴との間の隙間は、収納凹部Ｒａを露出させる貫通穴Ｆ１を有する環状に形成された化粧枠Ｆによって閉塞される。化粧枠Ｆは例えば木材からなり、鍔部Ｒ２の上面に当接する環形状の取付板ＡＴがねじ止めされることにより、反射板Ｒに対して抜け止めされる。
【０００４】
また、取付板ＡＴを反射板Ｒの鍔部Ｒ２に一体化し、図８に示す例や図９に示す例のように化粧枠Ｆを鍔部Ｒ２に直接ねじ止めするようにしたものも提供されている。なお、図９の例では、反射板Ｒの下方へ突出して特定の方向（図９の左下方向）への光を遮る遮光部Ｆ２が化粧枠Ｆに設けられている。
【０００５】
さらに、図１０に示すように、化粧枠Ｆと同様に反射板Ｒの本体部Ｒ１と埋込穴との間の隙間を閉塞する枠部Ｒ３を鍔部Ｒ２に代えて反射板Ｒに一体に設けることにより、化粧枠Ｆを用いずに配設可能としたものも提供されていた。
【特許文献１】特開平８−１８０７０６号公報
【発明の開示】
【発明が解決しようとする課題】
【０００６】
しかし、従来は、化粧枠Ｆを用いて配設する場合には図８に示すように化粧枠Ｆに螺合するねじＳＣが挿通されるねじ挿通穴が貫設された平坦な鍔部Ｒ２を有する反射板Ｒを用い、化粧枠Ｆを用いずに配設する場合には図１０に示すように本体部Ｒ１と埋込穴との間の隙間を閉塞する枠部Ｒ３を有する反射板Ｒを用いるといったように、化粧枠Ｆを用いる場合と用いない場合とで異なる形状の反射板Ｒを用意する必要があった。従って、例えば図１０に示す反射板Ｒを用いていた場合、化粧枠Ｆを新たに追加したいときには、反射板Ｒを交換する必要があった。
【０００７】
本発明は上記事由に鑑みて為されたものであり、その目的は、化粧枠を用いる場合と用いない場合とで反射板を共用とすることができる照明器具を提供することにある。
【課題を解決するための手段】
【０００８】
請求項１の発明は、天井面に設けられた埋込穴に埋込配設される照明器具であって、光源が取り付けられるソケットと、光源が収納され内面が光を反射する収納凹部を有し埋込穴に収納される本体部、並びに本体部の収納凹部の開口面に沿って本体部の外側へ突出し、埋込穴と本体部との間の隙間を閉塞する枠部を有する反射板と、光源を露出させる貫通穴を有し天井面との間で反射板の枠部を覆う環形状に形成された化粧枠と、化粧枠に取り付けられ化粧枠との間で枠部を挟むことにより化粧枠を反射板に保持する保持部材とを備えることを特徴とする。
【０００９】
この発明によれば、保持部材と化粧枠との間に反射板の枠部を挟むことで化粧枠を反射板に保持するので、化粧枠に螺合するねじを挿通するための貫通穴を有する鍔部を反射板に設ける必要がなく、また、枠部が埋込穴と本体部との間の隙間を閉塞するから、化粧枠を用いない配設も可能となっている。すなわち、化粧枠を用いる場合と化粧枠を用いない場合とで反射板を共用とすることができる。
【００１０】
請求項２の発明は、請求項１の発明において、反射板が合成樹脂成形品からなることを特徴とする。
【００１１】
請求項３の発明は、請求項１又は請求項２の発明において、反射板の枠部と化粧枠とをそれぞれ円環形状としたことを特徴とする。
【００１２】
この発明によれば、化粧枠を反射板から取り外すことなく反射板に対して回転させることが容易にできる。
【発明の効果】
【００１３】
本発明によれば、保持部材と化粧枠との間に反射板の枠部を挟むことで化粧枠を反射板に保持するので、化粧枠に螺合するねじを挿通するための貫通穴を有する鍔部を反射板に設ける必要がなく、また、枠部が埋込穴と本体部との間の隙間を閉塞するから、化粧枠を用いない配設も可能となっている。すなわち、化粧枠を用いる場合と化粧枠を用いない場合とで反射板を共用とすることができる。
【発明を実施するための最良の形態】
【００１４】
以下、本発明を実施するための最良の形態について、図面を参照しながら説明する。
【００１５】
（実施形態１）
本実施形態は、図１及び図２に示すように、光源が収納される収納凹部ａが下側に開口した有底角筒形状に形成され、天井面（図示せず）に設けられた埋込穴に収納される本体部１１と、本体部１１の下端から収納凹部１１ａの開口面に沿って外側へ突設され反射板１の本体部１１と埋込穴との間の隙間を閉塞する矩形環形状の枠部１２とが例えばポリブチレンテレフタラートからなる合成樹脂成形品として一体に形成された反射板１を備える。反射板１の枠部１２の下面の外周部は、本体部１１から離れるほど天井面からの突出寸法を小さくするように傾斜させてある。また、反射板１の少なくとも収納凹部１１ａの内面は、光源の光を反射するように例えば白色としてある。ここで、本体部１１の内側面及び外側面は、収納凹部１１ａの開口面に沿った断面の内周並びに外周の寸法を収納凹部１１ａの開口に近い位置ほど大きくするように傾斜させてある。この構成により、傾斜を設けない場合に比べてより強い光が本体部１１の下方に配光されるようになっている。
【００１６】
反射板１には、例えば木材からなり光源を露出させる貫通穴２１を有する矩形環状に形成され天井面との間で反射板１の枠部１２を覆う化粧枠２が取り付けられる。貫通穴２１の寸法は、収納凹部１１ａの開口の寸法と同程度にしてある。化粧枠２は、化粧枠２に取り付けられる矩形環状の保持部材３との間に反射板１の枠部１２を挟むことによって、反射板１に保持される。具体的に説明すると、保持部材３は例えば厚み０．８ｍｍの亜鉛鋼板からなり、反射板１の本体部１１が挿通される貫通穴３２を有する。また、保持部材３の外周の複数箇所（例えば６箇所）には切り欠き３１が設けられ、切り欠き３１に挿通されて化粧枠２に螺合する例えばタッピンねじのようなねじＳＣによって化粧枠２にねじ止めされる。また、化粧枠２の上面には、反射板１の枠部１２が収納される凹部２２が設けられている。化粧枠２の凹部２２の内周の寸法は、反射板１の枠部１２の外周の寸法よりも僅かに大きくしてあり、凹部２２に枠部１２が収納されることにより、化粧枠２の反射板１に対する位置決めがされ、化粧枠２のがたつきが防止されるようになっている。ここで、化粧枠２においてねじＳＣが螺合する部位は、凹部２２よりも外側となっている。さらに、化粧枠２の上面には、保持部材３を全周に亙って囲む矩形環状の突起２３が突設されている。反射板１の枠部１２を化粧枠２の凹部２２に収納した後で化粧枠２の突起２３の内側に保持部材３を収納することによって、化粧枠２に対する保持部材３の位置決めがなされるから、化粧枠２への保持部材３の取り付けが容易となっている。
【００１７】
反射板１の本体部１１の１側面には、円形状のバルブ挿通穴１１ｂが貫設され、図３に示すように、光源としての例えば電球型蛍光灯のようなランプＬａのバルブが、バルブ挿通穴１１ｂを通して収納凹部１１ａ内に導入される。また、反射板１には、ランプＬａが取り付けられるソケットＳＯを保持する保持体４が取り付けられる。保持体４は例えば厚み１ｍｍの亜鉛鋼板に曲げ加工と打ち抜き加工とを施して形成され、反射板１の本体部１１の上に載置される主部４１と、主部４１から下方に突設されソケットＳＯが挿通されるソケット挿通穴４２ａが貫設されたソケット保持部４２と、主部４１からそれぞれ下方に突設され互いに対向して反射板１の本体部１１を両側から挟む２枚の側部４３とを有する。保持体４は例えば反射板１の本体部１１の底面に貫設されたボルト挿通穴１１ｃと保持体４の主部４１に貫設されたボルト挿通穴（図示せず）とを貫通するボルト（図示せず）と該ボルトに螺合するナット（図示せず）とによって反射板１に固定される。保持体４の各側部４３にはそれぞれ厚み０．５ｍｍのステンレス板からなり反射板１の本体部１１の両側方へ弾性的に突出する取付ばね５が取り付けられ、本実施形態は、反射板１の枠部１２又は化粧枠３と取付ばね５との間に、天井面を構成する天井材（図示せず）が挟まれることによって、天井材に固定される。
【００１８】
上記構成によれば、保持部材３と化粧枠２との間に反射板１の枠部１２を挟むことで化粧枠２を反射板１に保持するので、化粧枠２に螺合するねじＳＣを挿通する部位を反射板１に設ける必要がなく、かつ反射板１の枠部１２は反射板１の本体部１１と埋込穴との間の隙間を閉塞するから、化粧枠２を用いない配設も可能となっている。すなわち、化粧枠２を用いる場合と用いない場合とで反射板１を共用とすることができる。さらに、本実施形態では、反射板１の枠部１２の下面の外周部を、本体部１１から離れるほど天井面からの突出寸法を小さくするように傾斜させてあるから、反射板１の枠部１２を平坦な形状とする場合に比べ、化粧枠２を用いずに配設した場合の見栄えが向上している。
【００１９】
（実施形態２）
本実施形態の基本構成は実施形態と共通であるので、共通する構成については同じ符号を付して説明を省略する。本実施形態は、反射板１，化粧枠２，並びに保持部材３の形状が異なり、図４及び図５に示すように、反射板１の本体部１１を有底円筒形状に形成するとともに、反射板１の枠部１２と化粧枠２と保持部材３とをそれぞれ円環形状に形成している。また、保持部材３の切り欠き３１及び保持部材３を化粧枠２にねじ止めするねじの数はそれぞれ４個としてある。
【００２０】
上記構成によれば、実施形態１の効果に加え、反射板１の枠部１２を円環形状に形成したことにより、化粧枠２を反射板１から取り外すことなく反射板１に対して容易に回転させることができるという効果がある。従って、例えば図９に示す従来例の化粧枠Ｆに設けられたような遮光板Ｆ２が化粧枠２に設けられている場合に、遮光板Ｆ２の向きを容易に変更することができる。
【００２１】
なお、実施形態１及び本実施形態において、ランプＬａに電源を供給する電線を接続するための例えば周知の速結端子からなる端子部（図示せず）は、ソケットＳＯに設けてもよいし、図６に示すようにソケットＳＯとは別途に設けた端子台ＴＢに設けてもよい。さらに、図６の例では、取付ばね５を設ける代わりに、保持体４の側部４３から弾性的に突出して化粧枠２又は反射板１の枠部１２との間に天井材を挟むことによって保持体４を天井材に保持する挟み金具６を設けている。具体的に説明すると、保持体４の側部４３には、上下に長く上端部の幅寸法を他の部位よりも大きくしたＴ字穴４３ａが設けられており、挟み金具６はＴ字穴４３ａに挿通されるとともにＴ字穴４３ａの短手方向の両側の部位を表裏から挟持することにより保持体４に対して上下にスライド可能に保持されている。
【図面の簡単な説明】
【００２２】
【図１】本発明の実施形態を示す断面図である。
【図２】同上を示す分解斜視図である。
【図３】同上に保持体とソケットとランプとを追加した状態を示す斜視図である。
【図４】同上の別の形態を示す分解斜視図である。
【図５】同上を示す断面図である。
【図６】同上に保持体とソケットとランプとを追加した状態を示す斜視図である。
【図７】従来例を示す一部破断した正面図である。
【図８】別の従来例に用いられる反射板を示す一部破断した正面図である。
【図９】更に別の従来例を示す断面図である。
【図１０】別の従来例に用いられる反射板を示す断面図である。
【符号の説明】
【００２３】
１  反射板
２  化粧枠
３  保持部材
１１  本体部
１１ａ  収納凹部
１２  枠部
Ｌａ  ランプ
【図１】
2005327631.tif 000003
【図２】
2005327631.tif 000004
【図３】
2005327631.tif 000005
【図４】
2005327631.tif 000006
【図５】
2005327631.tif 000007
【図６】
2005327631.tif 000008
【図７】
2005327631.tif 000009
【図８】
2005327631.tif 000010
【図９】
2005327631.tif 000011
【図１０】
2005327631.tif 000012